(57)【要約】【課題】周囲が暗くても、装飾を良好に視認できる墓を提供する。【解決手段】墓１は、遺骨を収容する収容空間４を内部に有する箱状の墓本体５と、収容空間４に配置された光源３とを含む。墓本体５が、人工大理石製の、透光性を有する板状部材１０を含む。天板１１（板状部材１０）の天面１１ａが、当該天面１１ａに直接形成された装飾領域２３，２４を有する。光源３の点灯時において、光源３によって天面１１ａが内部から照らさる。天面１１ａのうち装飾領域を除く非装飾領域を発光させ、これにより、墓本体５の外方から見たときに、装飾領域を非装飾領域と区別して視認させることができる。【選択図】図３
2020007747.tif 000002
【特許請求の範囲】
【請求項１】
遺骨を収容する収容空間を内部に有する箱状の墓本体と、
前記収容空間に配置された光源とを含み、
前記墓本体が、人工大理石製の、透光性を有する板状部材を含み、
前記板状部材の外表面が、当該外表面に直接形成された装飾領域を有し、前記墓本体の天面および側面の少なくとも一方を構成する装飾形成面を含み、
前記光源の点灯時において、当該光源によって前記装飾形成面が内部から照らされ、前記装飾領域、および前記装飾形成面のうち前記装飾領域を除く非装飾領域の少なくとも一方を発光させ、これにより、前記墓本体の外方から見たときに、前記装飾領域を前記非装飾領域と区別して視認させる、墓。
【請求項２】
前記装飾領域が、前記装飾形成面のうち周縁部を除く領域に形成されており、
前記から発せられる光によって、前記装飾形成面のうち少なくとも前記周縁部の全域が発光している、請求項１に記載の墓。
【請求項３】
前記装飾領域が、前記非装飾領域とは透光度の異なる人工大理石を用いて形成されている、請求項１または２に記載の墓。
【請求項４】
前記装飾領域が、前記非装飾領域と、同じ種類の人工大理石を用いてかつ厚みを異ならせて形成されている、請求項１または２に記載の墓。
【請求項５】
前記板状部材の外表面には、紫外線を防止するための紫外線防止膜が配置されている、請求項１〜４のいずれか一項に記載の墓。
【発明の詳細な説明】
【技術分野】
【０００１】
この発明は、動物や人の遺骨を収容する墓に関する。
【背景技術】
【０００２】
従来から、ペット等の動物の遺骨を収容する動物用の墓が知られている。このような動物用の墓は、室内に設けたり、庭に設けたりされる。
下記特許文献１には、ペット等の動物の遺骨を収容する動物用の墓が知られている。このような動物用の墓は、たとえば、函状本体と、函状本体の内部に区画された収容空間に配置された遺骨収容器とを含む。函状本体の側面には、たとえばペットのシルエットを模したプレートが取り付けられている。このプレートには、ペットの写真、シルエット絵、レリーフ等が貼着されている。すなわち、函状本体の側面には、装飾が施されている。
【先行技術文献】
【特許文献】
【０００３】
【特許文献１】実用新案登録第３１９３９２１号公報
【発明の概要】
【発明が解決しようとする課題】
【０００４】
本願発明者らは、墓本体（箱状本体）の少なくとも一部の面を、人工大理石を用いて形成することを検討している。この場合、外観が大理石調を呈するから、重厚な印象を周囲に与えることができる。また、本願発明者らは、このような動物用の墓を、人間の墓と同様、墓地に配置することを検討している。
このような動物用の墓を野外の墓地に配置する場合、夜間においては、墓本体に施されている装飾を参拝者が視認できない。
【０００５】
このような問題は、動物用の墓を野外に配置する場合だけでなく、暗い屋内（室内）に設ける場合に共通する問題である。
すなわち、周囲が暗くても、装飾を良好に視認できる動物用の墓が求められている。
また、このような問題は、動物用の墓に限られず、人用の墓にも共通する問題である。
そこで、この発明の目的の一つは、周囲が暗くても、装飾を良好に視認できる墓を提供することである。
【課題を解決するための手段】
【０００６】
前記の目的を達成するための請求項１に記載の発明は、遺骨を収容する収容空間を内部に有する箱状の墓本体と、前記収容空間に配置された光源とを含み、前記墓本体が、人工大理石製の、透光性を有する板状部材を含み、前記板状部材の外表面が、当該外表面に直接形成された装飾領域を有し、前記墓本体の天面および側面の少なくとも一方を構成する装飾形成面を含み、前記光源の点灯時において、当該光源によって前記装飾形成面が内部から照らされ、前記装飾領域、および前記装飾形成面のうち前記装飾領域を除く非装飾領域の少なくとも一方を発光させ、これにより、前記墓本体の外方から見たときに、前記装飾領域を前記非装飾領域と区別して視認させる、墓を提供する。
【０００７】
請求項２に記載の発明は、前記装飾領域が、前記装飾形成面のうち周縁部を除く領域に形成されており、前記から発せられる光によって、前記装飾形成面のうち少なくとも前記周縁部の全域が発光している、請求項１に記載の墓である。
請求項３に記載の発明は、前記装飾領域が、前記非装飾領域とは透光度の異なる人工大理石を用いて形成されている、請求項１または２に記載の墓である。
【０００８】
請求項４に記載の発明は、前記装飾領域が、前記非装飾領域と、同じ種類の人工大理石を用いてかつ厚みを異ならせて形成されている、請求項１または２に記載の墓である。
請求項５に記載の発明は、前記板状部材の外表面には、紫外線を防止するための紫外線防止膜が配置されている、請求項１〜４のいずれか一項に記載の墓である。
【発明の効果】
【０００９】
この構成によれば、周囲が暗くても、墓に施された装飾を良好に視認できる。
【図面の簡単な説明】
【００１０】
【図１】図１は、この発明の一実施形態に係る墓が配置された墓地の模式的な斜視図である。
【図２】図２は、前記墓の２つの態様を示す図である。
【図３】図３は、前記墓の分解斜視図である。
【図４】図４は、前記墓の斜視図である。
【図５】図５は、前記墓の側面図である。
【図６】図６は、前記墓を、図５の矢印VIから見た図である。
【図７】図７は、前記墓から墓本体を取り外した状態を示す平面図である。
【図８】図８は、前記墓の天面板の断面図である。
【図９】図９は、この発明の他の実施形態に係る墓を説明するための図である。
【図１０】図１０は、前記墓の要部を示す断面図である。
【図１１】図１１は、この発明のさらに他の実施形態を説明するための側面図である。
【図１２】図１２は、本発明の第１の変形例を説明するための平面図である。
【図１３】図１３は、本発明の第２の変形例を説明するための図である。
【発明を実施するための形態】
【００１１】
以下では、この発明の実施の形態を、添付図面を参照して詳細に説明する。
図１は、この発明の一実施形態に係る墓１が配置された墓地２の模式的な斜視図である。図２は、墓１の２つの態様を示す図である。
墓地２は、動物霊園等に設けられた動物埋葬用の墓地である。墓地２は、野外に設けられている。墓地２内には、多数の墓１が配置されている。墓１は、ペット等の動物の遺骨を収容する動物用の墓である。多数の墓１は、列をなして並べられている。
【００１２】
図１に示すように、墓地２には、照明灯９０が適度な感覚を空けて配置されている。しかし、一般的には、夜間の墓地２は暗い。また、死者が埋葬されているという墓地の雰囲気も、墓地２の暗さを助長している。
墓１は、動物用の墓である。墓１は、内部から発光する内部発光型の墓である。墓１の内部には、光源３（図３等参照）が収容されている。光源３の点灯状態において、光源３からの光が、墓１の本体を透過して外に放出される。
【００１３】
昼間は、図２（ａ）に示すように、光源３が消灯状態にされている。
一方、夜間は、図２（ｂ）に示すように、光源３が点灯状態にされている。この状態では、墓１は内部から発光している（発光態様）。このとき、墓１の天面１１ａにおける装飾領域２３，２４を除く領域、および全ての側面（側板の外表面）が、内部から発光する。そして、内部発光する墓１によって、夜間の墓地２が、明るく照らされる。
【００１４】
図３は、墓１の分解斜視図である。図４は、墓１の斜視図である。図５は、墓１の側面図である。図６は、墓１を、図５の矢印VIから見た図である。以下、図３〜図６を参照しながら、墓１の構成について説明する。
墓１は、遺骨を収容する収容空間４を内部に有する箱状の墓本体５と、収容空間４に収容配置された遺骨収容器６と、収容空間４に収容配置された光源３と、墓本体５の底面の４隅にそれぞれ配置された脚部７とを含む。
【００１５】
墓本体５は、底面が開口する箱体８と、箱体８の底面開口８ａを閉塞するように取り付けられたベース部材９とを含む。箱体８は、ベース部材９に取り付けられている。
箱体８は、天板１１、前板１２、左板１３、右板１４および後板１５という、合計５枚の板状部材１０を箱状に組み立てることにより構成されている。箱体８の前後間の距離Ｌ１（図４参照）は、たとえば約３００ｍｍである。箱体８の左右間の距離Ｌ２（図４参照）は、たとえば約３００ｍｍである。箱体８の前端の高さＨ１（図４参照）はたとえば約１００ｍｍである。箱体８の後端の高さＨ２（図４参照）はたとえば約１５０ｍｍである。天板１１、前板１２および後板１５は矩形板であり、左板１３および右板１４は台形板である。前板１２、左板１３、右板１４および後板１５の下端縁は互いに揃っており、箱体の底面開口８ａを構成している。なお、前板１２、左板１３、右板１４および後板１５をまとめて側板という場合がある。
【００１６】
天板１１、前板１２、左板１３、右板１４および後板１５（各板状部材１０）は、人工大理石を用いて形成されている。人工大理石は、大理石の代用品であり、アクリル樹脂やポリエステル樹脂を主成分とした人工素材である。人工大理石には、大理石の粉や成分は全く入っていない。たとえば、この人工大理石の種類は、コーリアン（商標）のグラーサ（商標）シリーズのグラーサホワイト（ＧＬＷ）、または、同シリーズのグラーサソリッドホワイト（ＧＳＷ）である。これらの種類の人工大理石は、いずれも、その人工大理石の厚み次第では透光可能である。また、これらの種類の人工大理石の色は、白色をベースにしている。但し、人工大理石は、透光可能であれば、乳白色等を呈していてもよい。この実施形態では、各板状部材１０の厚みＷ１（図８参照）はたとえば約８〜１５ｍｍの範囲で、好ましくは約１２ｍｍである。
【００１７】
図６に示すように、天板１１の外表面（以下、「天面」という）１１ａには、第１の装飾領域２３および第２の装飾領域２４がそれぞれ直接形成されている。第１の装飾領域２３および第２の装飾領域２４は、天面１１ａのうち、周縁部を除く領域に形成されている。
第１の装飾領域２３に形成される第１の装飾２１は、イラストからなる装飾である。第１の装飾２１は、墓１に埋葬されているペット（動物）のシルエットを模った装飾である。図６には、第１の装飾２１の例として、墓１に埋葬されているペットが、ミニチュアダックスフンドである場合を示している。第１の装飾領域２３は、人工大理石を用いて象嵌加工により形成されている。第１の装飾領域２３は、天板１１の他の領域や、前板１２等他の側板に用いられている人工大理石とは異なり、透光性をほとんど有さない。また、第１の装飾領域２３を構成する人工大理石の着色は、天板１１の他の領域や、前板１２等他の側板に用いられている人工大理石の色とは異ならせられている（たとえば茶色、黒、こげ茶等）。たとえば、この人工大理石の種類は、コーリアン（商標）のプライベートシリーズのディープラピスである。しかし、この人工大理石の種類は、これに限られないのは言うまでもない。
【００１８】
また、第２の装飾領域２４に形成される第２の装飾２２は、字情報からなる装飾である。第２の装飾２２は、墓１に埋葬されているペット（動物）の名前を模った装飾である。図６には、第２の装飾２２の例として、「ＲＡＫＫＹ」という文字が描かれている。第２の装飾領域２４は、人工大理石を用いて象嵌加工により形成されている。第２の装飾領域２４は、天板１１の他の領域や、前板１２等他の側板に用いられている人工大理石とは異なり、透光性をほとんど有さない。また、第２の装飾領域２４を構成する人工大理石の着色は、天板１１の他の領域や、前板１２等他の側板に用いられている人工大理石の色とは異ならせられている（たとえば茶色、黒、こげ茶等）。たとえば、この人工大理石の種類は、コーリアン（商標）のプライベートシリーズのディープラピスである。しかし、この人工大理石の種類は、これに限られないのは言うまでもない。第２の装飾領域２４を構成する人工大理石の種類は、この実施形態のように第１の装飾領域２３の人工大理石の種類と同じであってもよいし、別の種類の人工大理石であってもよい。
【００１９】
第１の装飾領域２３および第２の装飾領域２４の象嵌加工について説明する。象嵌用の機械で、象嵌加工前の天板１１の第１の装飾領域２３の形成対象位置から、第１の装飾２１に相当する形態を抜き取り、第１の装飾２１に対応する貫通穴を形成する。また、象嵌用の機械で、象嵌加工前の天板１１の第２の装飾領域２４の形成対象位置から、第２の装飾２２に相当する形態を抜き取り、第２の装飾２２に対応する貫通穴を形成する。一方、他の人工大理石製の、天板１１と同じ厚みを有する板状の部材から第１の装飾２１に相当する形態および第２の装飾２２に相当する形態をそれぞれ抜き取り、第１の装飾２１および第２の装飾２２を形成する。そして形成した第１の装飾２１および第２の装飾２２を天板１１に形成されている貫通穴に嵌め合わせることで、第１の装飾領域２３および第２の装飾領域２４をそれぞれ形成する。
【００２０】
すなわち、天面１１ａは、第１の装飾領域２３と、第２の装飾領域２４と装飾２１，２２の施されていない非装飾領域２５とを含む。象嵌後の天面１１ａは面一に形成されている。そのため、そのため、天面１１ａの清掃を容易に行える。
また、天面１１ａには、金属プレート２６が設けられている。金属プレート２６には、遺骨の収容対象のペットの生存期間の表示２７、および当ペットへのメッセージ２８が刻まれている。
【００２１】
図７は、墓１から箱体８を取り外した状態を示す平面図である。
図３および図７に示すように、ベース部材９は、鋼製の板状部材を用いて形成されている。ベース部材９の上面周縁部には、四角環状の突条からなる枠部３０が形成されている。ベース部材９に箱体８を取り付けた状態では、箱体８の底面開口８ａを区画する側板の下端部が、枠部３０に嵌合する。
【００２２】
図３に示すように、ベース部材９の４カ所（後部の２カ所および左右の１カ所）にそれぞれ形成されたねじ穴３８（３か所のみ図示）に、箱体８の下部の４カ所に形成されたねじ挿通穴３９（１か所のみ図示）を介してねじ（図示しない）を締結することにより、ベース部材９に対して箱体８が固定される。
図７に示すように、ベース部材９の上面中央部には、遺骨を内部に収容するための遺骨収容器６が配置されている。遺骨収容器６の底部は、ベース部材９の上面に固定されている。遺骨収容器６は、たとえば骨壺であり、有底円筒状の収容器本体３１と、中央部が上方に膨らんだ円板状の蓋３２とを含む。遺骨収容器６を円筒状とし、かつその大きさを比較的小型に設定しているのは、次に述べる光源３からの照明を遺骨収容器６が邪魔する結果、遺骨収容器６の影が箱体８にできことを防ぐためのものである。
【００２３】
図３および図７に示すように、光源３は、平面視で、遺骨収容器６の周囲を取り囲むように配置されている。
具体的には、光源３は、複数（図７の例では４つ）の個別光源３３を備えている。光源３は、各個別光源３３を接続する給電コード３４（図３では不図示）をさらに含む。給電コード３４のうち最も基端寄りの給電コード３４ａは、ベース部９の底面に形成された給電用穴を介して墓１の外側に引き出されている。基端側の給電コード３４の基端は屋外電源に接続されている。これにより、複数の個別光源３３への給電が行われる。
【００２４】
各個別光源３３は、板状の発光部本体３５（図７参照）と、発光部本体３５の一方側主面３５ａ（図７参照）に配置された多数（図７の例では、たとえば１２個）の発光体３６（図７参照）からなる光源群とを含む。図７の例では、光源群は、円環状をなしている。発光体３６は、たとえばＬＥＤである。各個別光源３３は、ベース部材９の底面上に、一方側主面３５ａを上方に向けた状態で載置されている。
【００２５】
複数の個別光源３３が、平面視で、遺骨収容器６の周囲を取り囲むように配置されているので、天面の全域をほとんどむらなく照明できる。また、４つの側板を良好に照明できる。
また、光源３には、墓１の周囲の明るさを検出する明暗センサ（図示しない）と、明暗センサの検出値に基づいて、複数の個別光源３３への給電／給電停止を切り換えるスイッチ（図示しない）が設けられている。この明暗センサは、たとえば照度計を用いて構成されている。また、スイッチは、リレー等を用いて構成されている。スイッチは、墓１の周囲の明るさが、一定の明るさよりも明るい場合に、コンセントプラグからの電力を、複数の個別光源３３に供給する。一方、スイッチは、墓１の周囲の明るさが、一定の明るさよりも暗い場合に、コンセントプラグからの複数の個別光源３３への電力供給を停止する。
【００２６】
図８は、天板１１の断面図である。図８では、図６の切断面線VIII-VIIIに沿って切断した場合の断面を示している。
天板１１、前板１２、左板１３、右板１４および後板１５（各板状部材１０）の外表面の全域には、紫外線を防止するための紫外線防止膜４１が配置されている。図８では、天板１１の場合を例に挙げているが、側板（前板１２、左板１３、右板１４および後板１５）の外表面にも、同様に紫外線防止膜４１が配置されている。紫外線防止膜４１は、所定の塗料を塗布することにより設けられる。この塗料は、たとえば、２液性反応型のアクリルウレタン樹脂塗料に、添加剤を混入して設けられる。
【００２７】
このような紫外線防止膜４１を配置したのは次に述べる理由による。すなわち、人工大理石は、種類によっては紫外線に弱いものがある。このような紫外線に弱い種類の人工大理石を板状部材１０の材料に用いる場合には、使用に伴って板状部材１０の外表面が黄変するおそれがある。前述のグラーサホワイト（ＧＬＷ）等はいずれも、紫外線に比較的弱いタイプの人工大理石である。そのため、各板状部材１０の外表面の全域に、紫外線防止膜４１を配置している。これにより、板状部材１０の外表面、すなわち箱体８の外表面が、紫外線の影響を受けて黄変することを効果的に抑制または防止できる。
【００２８】
図２（ａ）に示すように、昼間は、光源３が自動的に消灯状態になっている。この状態では、墓１は内部から発光しない（非発光態様）。墓１の外郭は、人工大理石によって構成されている。そのため、この非発光態様において、外観が大理石調を呈し、墓地２を訪れた周囲の者に、重厚な印象を与えることができる。この状態で、装飾領域２３，２４の色が非装飾領域２５や側板と異なるから、当然に、装飾２１，２２を周囲から良好に視認できる。
【００２９】
一方、夜間は、図２（ｂ）に示すように、光源３が自動的に点灯状態にされる。この光源３の点灯状態（発光態様）において、収容空間４に配置された複数の個別光源３３によって天面（装飾形成面）１１ａおよび他の全ての側面（側板の外表面）が内部から照らされる。これにより、天面１１ａの非装飾領域２５の全域（装飾形成面のうち少なくとも周縁部の全域）および他の全ての側面（側板の外表面）の全域が発光する。墓１の内部からの光が、いずれも白色のグラーサホワイト（ＧＬＷ）等を通る。そのため、天面１１ａおよび他の全ての側面から出る光は、柔らかい光である。これにより、墓地２を訪れた周囲の者に、幻想的な印象を与えることができる。
【００３０】
また、光源３の点灯状態において、収容空間４に配置された複数の個別光源３３によって天面（装飾形成面）１１ａが内部から照らされる。天面１１ａの非装飾領域２５が透光可能な人工大理石を用いて形成され、また、天面１１ａの装飾領域２３，２４がほとんど透光しない人工大理石を用いて形成されている。そのため、天面１１ａにおいて非装飾領域２５のみが発光する。これにより、夜間において、墓本体５の外方から見たときに装飾領域２３，２４を、非装飾領域２５と区別して視認させることができる。ゆえに、周囲が暗くても、墓１に施された装飾２１，２２を良好に視認できる。
【００３１】
以上により、周囲の明るさに拘わらず、周囲から装飾２１，２２を視認できる。
図９は、この発明の他の実施形態に係る墓１０１を説明するための図である。図１０は、墓１０１の要部を示す断面図である。図１０は、図８と同様、図６の切断面線VIII-VIIIに沿って切断した場合の断面を示している。
図９および図１０に示す実施形態において、図１〜図８の実施形態に示された各部に対応する部分には、図１〜図８の場合と同一の参照符号を付して示し、説明を省略する。
【００３２】
墓１０１が墓１と相違する点は、装飾領域１２３，１２４を象嵌加工ではなく、人工大理石の厚みを変えることにより形成する点である。その他の点は、図９および図１０に示す実施形態の場合と同じである。
天板１１の天面１１ａには、第１の装飾領域１２３および第２の装飾領域１２４がそれぞれ直接形成されている。第１の装飾領域１２３および第２の装飾領域１２４は、天面１１ａのうち、周縁部を除く領域に形成されている。第１の装飾領域１２３は、天板１１の内側から研削機械を用いて、第１の装飾領域１２３の形成対象位置を、第１の装飾１２１に相当する形態に合わせて薄く削ることにより設けられる。第１の装飾１２１が形成される部分の厚みＷ２が、他の厚みＷ１よりも薄くされる。板状部材１０の厚みが薄い程、光源３の点灯状態において、板状部材１０を透過する光の量が多い。
【００３３】
また、第２の装飾領域１２４は、天板１１の内側から研削機械を用いて、第２の装飾領域１２４の形成対象位置を、第２の装飾１２２に相当する形態に合わせて薄く削ることにより設けられる。第２の装飾１２２が形成される部分の厚みを、厚みＷ２としてもよいが、他の厚み（＜Ｗ１）としてもよい。
この実施形態では、天板１１を内側から削ることにより装飾１２１，１２２を形成しているので、光源３の消灯状態では、墓本体５の外方から見たときに、装飾領域１２３，１２４を非装飾領域２５と区別して視認させることはできない（外見からではわからない）。
【００３４】
一方、光源３の点灯状態（発光態様）において、収容空間４に配置された複数の個別光源３３によって天面（装飾形成面）１１ａおよび他の全ての側面（側板の外表面）が内部から照らされる。これにより、天面１１ａの全域（装飾形成面のうち少なくとも周縁部の全域）および他の全ての側面（側板の外表面）の全域が発光する。この場合において、装飾領域１２３，１２４が非装飾領域２５よりも明るく発光する。これにより、墓本体５の外方から見たときに装飾領域１２３，１２４を非装飾領域２５と区別して視認させることができる。これにより、周囲の明るさに拘わらず、周囲から装飾１２１，１２２を視認することができる。これにより、夜間において、墓本体５の外方から見たときに装飾領域１２３，１２４を、非装飾領域２５と区別して視認させることができる。ゆえに、周囲が暗くても、墓１０１に施された装飾１２１，１２２を良好に視認できる。
【００３５】
また、天板１１を内側から削って装飾領域１２３，１２４を設けるので、天面１１ａ  が平坦面に保たれる。そのため、天面１１ａの清掃を容易に行える。
図１１は、この発明の他の実施形態に係る墓２０１を説明するための図である。図１１に示すように、装飾２１（，２２，１２１，１２２）を施す、すなわち装飾領域２３（，２４，１２３，１２４）を設ける装飾形成面を、天面１１ａでなく、側面（たとえば右面１４ａ）としてもよい。この場合、装飾形成面を、右面１４ａではなく、他の側面としてもよい。さらに一の側面だけでなく、複数の側面に設けるようにしてもよい。図１１の例では、第１の装飾領域２３のみを設けているが、第１の装飾領域２３に代えてまたは併せて第２の装飾領域２４を設けるようにしてもよい。
【００３６】
また、装飾２１，２２，１２１，１２２を設ける装飾形成面を、天面１１ａと側面との双方としてもよい。
以上、この発明の３つの実施形態について説明したが、この発明は、さらに他の形態で実施することも可能である。
たとえば、第１の実施形態において、装飾領域２３，２４が透光しないとして説明したが、非装飾領域２５よりも透光度が低ければ、装飾領域２３，２４が透光してもよい。さらに、装飾領域２３，２４が非装飾領域２５よりも透光度が高くてもよく、この場合には、第２の実施形態と同様、装飾領域２３，２４がその周囲の領域よりも明るく照らされるようになる。
【００３７】
また、第１および第２の実施形態において、装飾として、イラストからなる第１の装飾２１，１２１と、字情報からなる第２の装飾２２，１２２の双方を含む場合を例に挙げたが、第１の装飾２１，１２１および第２の装飾２２，１２２のいずれか一方のみしか設けられていなくてもよい。また、天面１１ａには、装飾とともに金属プレート２６が設けられている場合を例に挙げたが、金属プレート２６は廃止してもよい。
【００３８】
また、第１の装飾２１，１２１としてミニチュアダックスフンドのイラストを例に挙げて説明したが、他の種類の犬であってもよいし、犬以外の動物のイラストでもよいのは言うまでもない。
また、墓本体５の形態も、前述した態様に限られず、適宜種々の形態を採用できる。墓本体５が、平面視矩形の箱状をなしているとして説明したが、平面視で、円形、五角形、六角形、ハート形、星形等種々の形状を採用することができる。
【００３９】
また、墓本体５として、横寸法が縦寸法よりも大きい偏平型のものを例に挙げて説明したが、図１２に示すように、墓本体５の縦寸法が横寸法よりも大きくてもよい。また、図１２の例では、平面視矩形状であるが、鉛直方向に延びる四角柱をその中心を通る鉛直軸線回りに所定角度（９０°未満）捩じった形状に設けている。四角柱の捩じりは、人工大理石製の四角柱を加熱して当該四角柱を柔らかくした状態で回転方向に力を加えることにより設ける。墓本体５の側面（側板１２〜１５の側面の少なくとも一つに）に、装飾領域２３，２４を象嵌を用いて形成する場合、象嵌後に四角柱を捩じる。
【００４０】
また、前述の説明では、板状部材１０に採用される人工大理石として、天然の大理石を含有しないものを例に挙げて説明したが、人工大理石は、大理石の粉末や成分を含有していてもよい。本願の明細書において、人工大理石は、いわゆる人造大理石を含む趣旨である。
また、第１および第３の実施形態において、装飾領域２３，２４が透光度が低いあるいは透光性をほとんど有さないので、装飾領域２３，２４を人工大理石ではない樹脂材料やその他の材料を用いて形成してもよい。
【００４１】
また、箱体８の天面および４つの側面の全てを板状部材１０で構成する形態に限られず、天面および４つの側面の少なくとも一つの全域が、透光性を（ほとんど）有さない不透光部材を用いて形成されていてもよい。
また、光源３の形態も、前述した態様に限られず、適宜種々の形態を採用できる。個別光源３３が、多数の発光体３６を含む構成でなく、面全体で発光する面状発光体を含む構成であってもよい。また、光源３が、遺骨収容器６の周囲を取り囲む円環状の環状光源によって構成されていてもよい。
【００４２】
また、前述の各実施形態では、屋外電源から電源を取るとして説明したが、墓１，１０１，２０１に太陽電池等が設けられており、光源３の発光に、それらの電力が用いられていてもよい。この太陽電池のパネルは、墓１から離れた位置に設けられる。パネルが墓１のイメージにそぐわないからである。
また、本発明に係る墓１，１０１，２０１として、屋外の墓地２に設けられる墓を例に挙げて説明したが、屋内霊園に設けられてもよい。暗い屋内（室内）に設ける場合に設けられる場合、室内霊園の営業中は、墓１，１０１，２０１が常に発光態様（点灯状態）にあってもよい。また、墓地や霊園に設けられるものに限られず、家屋の室内や庭に設けてもよい。墓１，１０１，２０１を屋内に設置する場合、基端側の給電コード３４の基端には、コンセントプラグ（図示しない）を取り付け、このコンセントプラグを、室内のコンセントに差し込むことにより、墓１，１０１，２０１への給電を行うようにしてもよい。
【００４３】
また、図１３に示すように、装飾領域２３，２４が透光度の高い人工大理石を用いて形成されており、非装飾領域２５が、透光性をほとんど有さない人工大理石を用いて形成されていてもよい。
また、箱体８の天面および４つの側面の全てを板状部材１０で構成する形態に限られず、天面および４つの側面の少なくとも一つの全域が、不透光な材料を用いて形成されていてもよい。
【００４４】
さらに、墓１，１０１，２０１の板状部材１０として、人工大理石製のものを例に挙げて説明したが、板状部材１０としてタイル（陶器質タイルやせっ器質タイル、磁器質タイル）や石（御影石や大理石）製のものを採用できる。
また、本発明に係る墓１，１０１，２０１として動物用の墓として例に挙げて説明したが、動物用の墓１，１０１，２０１には、動物だけでなく、人も一緒に埋葬されてもよい。また、人用の墓に、本発明を適用することもできる。
【００４５】
その他、特許請求の範囲に記載された事項の範囲で種々の設計変更を施すことが可能である。
【符号の説明】
【００４６】
１：墓、３：光源、４：収容空間、５：墓本体、１０：板状部材、１１ａ：天面（装飾形成面）、２３：第１の装飾領域、２４：第２の装飾領域、２５：非装飾領域、１０１：墓、１２３：第１の装飾領域、１２４：第２の装飾領域、２０１：墓
【図１】
2020007747.tif 000003
【図２】
2020007747.tif 000004
【図３】
2020007747.tif 000005
【図４】
2020007747.tif 000006
【図５】
2020007747.tif 000007
【図６】
2020007747.tif 000008
【図７】
2020007747.tif 000009
【図８】
2020007747.tif 000010
【図９】
2020007747.tif 000011
【図１０】
2020007747.tif 000012
【図１１】
2020007747.tif 000013
【図１２】
2020007747.tif 000014
【図１３】
2020007747.tif 000015